(57)【要約】【課題】実用性を保ちつつ画素の局所的劣化を抑制し、表示品質を良好に保つ。【解決手段】自発光素子により構成された表示部の各画素における該画素の発光履歴を記憶し（ステップＳ３）、前記発光履歴に基づいて前記表示部の画像の変更時期をユーザに通知する（ステップＳ５）。【選択図】図３
2007178481.tif 000002
【特許請求の範囲】
【請求項１】
各画素が自発光素子によって構成された表示手段と、
前記各画素の発光履歴を記憶する履歴記憶手段と、
前記発光履歴に基づいて前記表示手段の画像を変更する変更手段と
を備えることを特徴とする表示装置。
【請求項２】
各画素が自発光素子によって構成された表示手段と、
前記各画素の発光履歴を記憶する履歴記憶手段と、
前記発光履歴に基づいて前記表示手段の画像の変更時期をユーザに通知する通知手段と
を備えることを特徴とする表示装置。
【請求項３】
前記表示手段に表示可能な画像を複数種類記憶する画像記憶手段及び／又は前記表示手段に表示される各種アイコンの配置を複数種類記憶する構成記憶手段を更に備え、
前記変更手段は、前記発光履歴に基づいて前記表示手段の画像を変更する際、前記画像記憶手段及び／又は前記構成記憶手段に記憶された複数種類の画像及び／又は各種アイコンの配置の中から、前記各画素の劣化状態の偏りを緩和する上で最適なものに変更することを特徴とする請求項１に記載の表示装置。
【請求項４】
前記表示手段に表示可能な画像を複数種類記憶する画像記憶手段及び／又は前記表示手段に表示される各種アイコンの配置を複数種類記憶する構成記憶手段を更に備え、
前記通知手段は、前記発光履歴に基づいて前記表示手段の画像の変更時期をユーザに通知する際、前記画像記憶手段及び／又は前記構成記憶手段に記憶された複数種類の画像及び／又は各種アイコンの配置の中から、前記各画素の劣化状態の偏りを緩和する上で最適なものをユーザに通知することを特徴とする請求項２に記載の表示装置。
【請求項５】
前記発光履歴は、前記各画素の点灯時間に基づく情報であることを特徴とする請求項１〜４の何れかに記載の表示装置。
【請求項６】
前記履歴記憶手段は、前記各画素を構成する色要素毎に前記発光履歴を記憶することを特徴とする請求項１〜５の何れかに記載の表示装置。
【請求項７】
自発光素子により構成された表示部の各画素における該画素の発光履歴を記憶し、前記発光履歴に基づいて前記表示部の画像を変更することを特徴とする表示方法。
【請求項８】
自発光素子により構成された表示部の各画素における該画素の発光履歴を記憶し、前記発光履歴に基づいて前記表示部の画像の変更時期をユーザに通知することを特徴とする表示方法。
【請求項９】
画像及び／又は各種アイコンの配置を複数種類記憶し、前記発光履歴に基づいて前記画像を変更する際、複数種類の画像及び／又は各種アイコンの配置の中から、前記各画素の劣化状態の偏りを緩和する上で最適なものに変更することを特徴とする請求項７に記載の表示方法。
【請求項１０】
画像及び／又は各種アイコンの配置を複数種類記憶し、
前記発光履歴に基づいて前記画像の変更時期をユーザに通知する際、複数種類の画像及び／又は各種アイコンの配置の中から、前記各画素の劣化状態の偏りを緩和する上で最適なものをユーザに通知することを特徴とする請求項８に記載の表示方法。
【請求項１１】
前記発光履歴は、前記各画素の点灯時間に基づく情報であることを特徴とする請求項７〜１０の何れかに記載の表示方法。
【請求項１２】
自発光素子の色要素毎に前記発光履歴を記憶することを特徴とする請求項７〜１１の何れかに記載の表示方法。
【発明の詳細な説明】
【技術分野】
【０００１】
本発明は、表示装置及び表示方法に関する。
【背景技術】
【０００２】
近年、有機ＥＬ（electro-luminescence）素子を画素に用いた表示装置が開発されている。有機ＥＬ素子は、高い輝度で駆動させる程、また、長時間駆動させる程、劣化が進行する。有機ＥＬ素子が劣化した画素は、輝度が低くなる傾向にある。例えば、同じ画像を長期にわたって表示し続けた結果、特定の画素の劣化が進んでしまった場合等には、局所的に輝度が低くなってしまい、画面全体としての表示品質が悪くなる。
【０００３】
このような問題に対処する従来技術としては、特許文献１に開示されたものがある。この技術は、表示装置と操作パネルとを備える携帯端末装置において、操作パネルが所定時間以上操作されなかったとき、複数ビット構成の２値信号からなる表示用情報のビットを反転させたり、輝度が低くなる方向に数ビットシフトさせたりするものである。
【特許文献１】特開２００２−２６８６０１号公報
【発明の開示】
【発明が解決しようとする課題】
【０００４】
上記公報に記載の技術では、例えば風景写真等の自然画が表示されている場合等、ビット反転が行われてしまうと、画像の色が変化してしまうので、ユーザが違和感を覚える可能性が高く、また、輝度を低下させると、見づらい画面となるので、実用性に欠ける。
【０００５】
本発明は、上述した事情に鑑みてなされたもので、実用性を保ちつつ画素の局所的劣化を抑制し、表示品質を良好に保つことを目的とする。
【課題を解決するための手段】
【０００６】
上記課題を解決するために、本発明では、表示装置に係る第１の手段として、各画素が自発光素子によって構成された表示手段と、前記各画素の発光履歴を記憶する履歴記憶手段と、前記発光履歴に基づいて前記表示手段の画像を変更する変更手段とを備えるものを採用した。
【０００７】
また、表示装置に係る第２の手段として、各画素が自発光素子によって構成された表示手段と、前記各画素の発光履歴を記憶する履歴記憶手段と、前記発光履歴に基づいて前記表示手段の画像の変更時期をユーザに通知する通知手段とを備えるものを採用した。
【０００８】
表示装置に係る第３の手段として、上記第１の手段において、前記表示手段に表示可能な画像を複数種類記憶する画像記憶手段及び／又は前記表示手段に表示される各種アイコンの配置を複数種類記憶する構成記憶手段を更に備え、前記変更手段は、前記発光履歴に基づいて前記表示手段の画像を変更する際、前記画像記憶手段及び／又は前記構成記憶手段に記憶された複数種類の画像及び／又は各種アイコンの配置の中から、前記各画素の劣化状態の偏りを緩和する上で最適なものに変更するものを採用した。
【０００９】
表示装置に係る第４の手段として、上記第２の手段において、前記表示手段に表示可能な画像を複数種類記憶する画像記憶手段及び／又は前記表示手段に表示される各種アイコンの配置を複数種類記憶する構成記憶手段を更に備え、前記通知手段は、前記発光履歴に基づいて前記表示手段の画像の変更時期をユーザに通知する際、前記画像記憶手段及び／又は前記構成記憶手段に記憶された複数種類の画像及び／又は各種アイコンの配置の中から、前記各画素の劣化状態の偏りを緩和する上で最適なものをユーザに通知するものを採用した。
【００１０】
表示装置に係る第５の手段として、上記第１から４の何れかの手段において、前記発光履歴は、前記各画素の点灯時間に基づく情報であるものを採用した。
【００１１】
表示装置に係る第６の手段として、上記第１から５の何れかの手段において、前記履歴記憶手段は、前記各画素を構成する色要素毎に前記発光履歴を記憶するものを採用した。
【００１２】
更に、本発明では、表示方法に係る第１の手段として、自発光素子により構成された表示部の各画素における該画素の発光履歴を記憶し、前記発光履歴に基づいて前記表示部の画像を変更する方法を採用した。
【００１３】
また、表示方法に係る第２の手段として、自発光素子により構成された表示部の各画素における該画素の発光履歴を記憶し、前記発光履歴に基づいて前記表示部の画像の変更時期をユーザに通知する方法を採用した。
【００１４】
表示方法に係る第３の手段として、上記第１の手段において、画像及び／又は各種アイコンの配置を複数種類記憶し、前記発光履歴に基づいて前記画像を変更する際、複数種類の画像及び／又は各種アイコンの配置の中から、前記各画素の劣化状態の偏りを緩和する上で最適なものに変更する方法を採用した。
【００１５】
表示方法に係る第４の手段として、上記第２の手段において、画像及び／又は各種アイコンの配置を複数種類記憶し、
前記発光履歴に基づいて前記画像の変更時期をユーザに通知する際、複数種類の画像及び／又は各種アイコンの配置の中から、前記各画素の劣化状態の偏りを緩和する上で最適なものをユーザに通知する方法を採用した。
【００１６】
表示方法に係る第５の手段として、上記第１から４の何れかの手段において、前記発光履歴は、前記各画素の点灯時間に基づく情報である方法を採用した。
【００１７】
表示方法に係る第６の手段として、上記第１から５の何れかの手段において、自発光素子の色要素毎に前記発光履歴を記憶する方法を採用した。
【発明の効果】
【００１８】
本発明によれば、各画素の発光履歴に基づいて表示装置に表示させる画像を変更（もしくは変更するよう通知）するので、各画素の劣化の差が致命的となる前に、劣化を平均化する（もしくは劣化が平均化されるようユーザを促す）ことができる。従って、画素の局所的劣化を抑制し、表示品質を良好に保つことができる。
【発明を実施するための最良の形態】
【００１９】
以下、本発明の表示装置の一実施形態である携帯電話機について図面を参照して説明する。図１は、本実施形態における携帯電話機１（表示装置）の構成を示すブロック図である。携帯電話機１は、制御部２と、ＲＯＭ３と、ＲＡＭ４と、操作部５と、ＥＬ表示部６と、ＥＬ表示駆動回路７と、表示用情報記憶部８と、画素劣化情報蓄積部９と、画像情報解析部１０と、送受信部１１と、アンテナ１２と、スピーカ１３と、マイク１４とを備えている。
【００２０】
制御部２は、ＲＯＭ３に記憶された各種プログラムに基づいて各部を統括的に制御する。ＲＡＭ４は、制御部２が行う各種制御にかかる各種演算の結果や演算に用いる各種情報等を一時的に記憶する。
ＲＯＭ３には、各種プログラムの他に、ＥＬ表示部６で表示可能な壁紙用画像各種（図２に示す）、ＥＬ表示部６で表示されるアラートメッセージ各種（後述の図４に示すようなもの）、ＥＬ表示部６で表示される各種アイコンの大きさ及び配置を設定するスタイルシート各種（後述の図６、図７に示すようなもの）等が記憶されている。
【００２１】
ＥＬ表示部６は、各画素が有機ＥＬ素子（自発光素子）により構成された画面を有し、ＥＬ表示駆動回路７により駆動される。ＥＬ表示駆動回路７は、ＥＬ表示部６に表示させる画像に基づいて制御部２が生成した操作量に基づいてＥＬ表示部６を駆動する。
ここで、ＥＬ表示部６の各画素は、Ｒ（赤），Ｇ（緑），Ｂ（青）の光の３原色をそれぞれ発光する３種類の自発光素子（色要素）により構成されたサブピクセルを有している。操作量は、各サブピクセルについて付与される。
【００２２】
表示用情報記憶部８は、ＥＬ表示部６に表示中の画像を退避する際に用いられ、画像データを一時的に記憶する。
画素劣化情報蓄積部９は、各画素のサブピクセルに付与された操作量とその操作量での駆動継続時間（点灯時間）との積を各画素のサブピクセル毎に算出し、過去分と合わせて累計し、劣化状態を示す劣化情報として蓄積する。その計算式は次の式（１）のようなものである。
【００２３】
劣化情報＝前回算出時劣化情報＋劣化係数×駆動継続時間×サブピクセル値…（１）
【００２４】
上記式（１）におけるサブピクセル値とは、Ｒ，Ｇ，Ｂの各サブピクセルに付与され、光る強さを０〜２５５の２５６段階に指定する値である。各サブピクセルの段階が指定されることにより、画素の発光色及び輝度が指定される。ここで言う輝度とは、画素が全く劣化していないとしたときに、そのサブピクセル値が付与されることによって画素が出力するはずの光の強さである。実際の画素は、全く劣化していないということはないので、実際の画素が出力する光の強さは、一般に、ここで指定する輝度よりも小さくなる。
また、上記式（１）における劣化係数とは、サブピクセル毎に設定される値であって、各サブピクセルの劣化し易さの違いを吸収するための値である。例えば、Ｂのサブピクセルを基準として、Ｒのサブピクセルが２割劣化し易く、Ｇのサブピクセルが２割劣化し難いとすると、Ｂのサブピクセルに適用される劣化情報の算出式では劣化係数を１とし、Ｒのサブピクセルに適用される劣化情報の算出式では劣化係数を１．２とし、Ｇのサブピクセルに適用される劣化情報の算出式では劣化係数を０．８とすれば、全色の劣化情報の重みが等しくなる。
なお、各サブピクセルの劣化し易さに違いがない場合には、劣化係数を全て１としてもよいし、或いは劣化係数を用いなくてもよい。
【００２５】
ここで、ＲＯＭ３は、上記式（１）により算出される劣化情報の取り得る値であって所定間隔ごとの閾値が記憶されている。
【００２６】
画素情報解析部１０は、ＲＯＭ３に記憶された壁紙用画像やスタイルシートをＥＬ表示部６に適用する際の操作量を解析し、ＥＬ表示部６の各画素の劣化状態の偏りをより緩和することができる順に、壁紙用画像もしくはスタイルシートを順位付けする。
例えば、図２に示す壁紙用画像のうち、現在、画像Ｄが選択されているとする。画像Ｄには、「星」と「山」が２つと「夜空」とが描かれている。それぞれの部分の輝度は、「星」の部分の輝度が最も高く、次いで２つの「山」、輝度が最も低いのは「夜空」である。画像Ａには、画像Ｄのものと同様の輝度の「山」が１つと「夜空」とが描かれている。画像Ｂには、画像Ｄのものと同様の輝度の「星」と「夜空」とが描かれている。画像Ｃには、画像Ｄのものと同様の輝度の２つの「山」と「夜空」とが描かれている。この場合、壁紙用画像として画像Ｄが選択されているＥＬ表示部６の画素のうち劣化が最も早くなるのは、輝度が最も高い「星」が表示されている部分であるので、ＥＬ表示部６の各画素の劣化状態の偏りを緩和するに最適な画像は、「星」がなく「山」の表示面積が小さい画像Ａであり、次いで画像Ｃであり、画像Ｂであり、最後に画像Ｄである。
【００２７】
操作部５は、ユーザによる操作を受け付けるキー等を備え、操作部５により入力された操作情報は、制御部２へ出力される。
送受信部１１は、アンテナ１２を介して基地局と通話等の通信を行う。スピーカ１３は、基地局から受信した通話相手の音声等を発音する。マイク１４が捉えたユーザの音声は、基地局を介して通話相手へ送信される。
【００２８】
図３は、ＲＯＭ３に記憶され制御部２が実行する通知プログラムの流れを示すフローチャートである。
制御部２は、ＥＬ表示部６に表示させる画像に基づいた操作量をＥＬ表示駆動回路７へ出力する際、同じ操作量を表示用情報記憶部８へも出力する。表示用情報記憶部８は、操作量を記憶するとともに、操作量が入力されてから次の操作量が入力されてくるまでの時間即ち駆動継続時間を計測する。制御部２は、画素の発光履歴として表示用情報記憶部８が記憶する操作量及び駆動継続時間を取得し（ステップＳ１）、各画素のサブピクセル毎に式（１）に従って劣化情報を算出し（ステップＳ２）、画素劣化情報蓄積部９に蓄積する（ステップＳ３）。
次に、制御部２は、各劣化情報がＲＯＭ３に記憶された閾値を超えたか否かを判断し（ステップＳ４）、超えていなかった場合はＳ１に戻り、超えていた場合には、ユーザにその旨を通知する（ステップＳ５）。
【００２９】
ユーザへの通知は、例えば図４に示すようなアラートメッセージを表示することにより行われる。ユーザがこのアラートメッセージに従い、「ＯＫ」ボタンを押すと、図５に示すような選択画面へ遷移する。この選択画面には、画素情報解析部１０が行った解析結果による順位付けに基づいて、ＥＬ表示部６の各画素の劣化状態の偏りをより緩和することができる順に、選択可能な画像が紹介される。つまり、現在、画像Ｄが選択されているならば、前述のように、各画素の劣化状態の偏りを緩和するに最適なのは画像Ａであり、次いで画像Ｃであり、画像Ｂであり、最後に画像Ｄであるということになる。
【００３０】
なお、ステップＳ４においてＹｅｓと判断する基準は、
（１）各画素のサブピクセル毎に蓄積した劣化情報が１つでも閾値を超えた
（２）劣化情報が閾値を超えたサブピクセル又は画素の数が所定値以上になった
等が考えられる。（２）の場合には、壁紙を変更することによって、劣化情報が閾値を超えたサブピクセルの全てについて偏りが緩和されなくても、大多数について偏りが緩和されればよい。この場合の画素情報解析部１０による各画像の順位付けは、偏りを緩和できるサブピクセル又は画素の数が多いものの順位を高くするよう行われる。
また、劣化情報は、その値が増えることはあっても減ることはないので、一度ユーザにステップＳ５による通知を行ったら、次のステップＳ４では、閾値の値を高く変更する。
更に、式（１）は劣化情報を算出する式の例としてあげたが、この式によると、時間が経つにつれ劣化情報の値が大きくなりすぎて、画素劣化情報蓄積部９に格納できなくなる可能性があるという場合には、劣化情報を式（１）のままの値とせず、ある範囲の値をとるよう正規化して画素劣化情報蓄積部９に格納するようにしてもよい。
【００３１】
また、上記処理が所定時間毎に行われるものであるならば、式（１）の駆動継続時間に代えて、前回算出後経過時間を用いるようにしてもよい。
また、ステップＳ５において、壁紙の交換時期をユーザに通知するのでなく、自動的に壁紙を交換するようにしてもよい。つまり、現在、画像Ｄが選択されているとすると、各画素の劣化状態の偏りを緩和するに最適な画像Ａ（発光輝度が最も高い「星」がなく、次いで発光輝度が高い「山」の表示面積が小さい）を自動的に壁紙として設定するようにしてもよい。この場合、図３の通知プログラムは変更プログラムとなる。
【００３２】
ところで、ＥＬ表示部６には、電池残量、電波強度、メール通知、時刻及びソフトキー等の各種アイコンがほぼ常時表示される。これらのアイコンの表示位置及び大きさを規定する図６に示すようなスタイルシートが、前述のようにＲＯＭ３に記憶されている。図７は、各スタイルシートの適用状態を示し、図６（ａ）は図７（ａ）に、図６（ｂ）は図７（ｂ）に、図６（ｃ）は図７（ｃ）に、それぞれ対応している。
【００３３】
図８は、ＲＯＭ３に記憶され制御部２が実行するプログラムの流れを示すフローチャートである。画像情報解析部１０は、現在壁紙に用いられている画像とスタイルシート各々とを合成した画像を生成し（ステップＳ１１）、画像劣化情報蓄積部９の情報から、Ｓ１１で生成した各合成画像が劣化状態の偏りを緩和するのに好適であるか否かを解析する（ステップＳ１２）。そして、制御部２は、画像情報解析部１０の解析結果に基づいてスタイルシートのリストを並べ替え（ステップＳ１３）、図９に示すようにＥＬ表示部６に並べ替え済みのスタイルシートのリストを表示し、ユーザの選択を促す（ステップＳ１４）。
【００３４】
各種アイコンは、ユーザの目にとまりやすい状態に表示するため、背景に対して判別し易い色合いにされていることが多い。例えば図７に示すようなスタイルシートでは、スタイルＣは、ＥＬ表示部６の画面の中央部の画素の劣化が周囲に比べて進んでいる場合に適用すると、中央部に濃い色（暗い色）で時刻が表示されるので、劣化状態の偏りを緩和することができる。同様に、スタイルＢの場合には、右上の画素の劣化が進んでいる場合に好適である。
【００３５】
このような構成によれば、携帯電話機１の使用時間の経過に伴って、ＥＬ表示部６の各画素が劣化してゆく際に、各画素の劣化状態に偏りが生じてきても、偏りが致命的となる前に、ユーザに対して、各画素の劣化状態の偏りを緩和できる画像を壁紙とするよう働きかけたり、各画素の劣化状態の偏りを緩和できるスタイルシートを用いて各種アイコンの配置を変更するよう働きかけたり、又は、各画素の劣化状態の偏りを緩和できる画像を壁紙として表示するよう制御したり、各画素の劣化状態の偏りを緩和できるスタイルシートを用いて各種アイコンの配置を変更するよう制御したりするので、画素の局所的劣化を抑制し、ＥＬ表示部６の表示品質を良好に保つことができる。
【図面の簡単な説明】
【００３６】
【図１】本発明の一実施形態における携帯電話機の構成を示すブロック図である。
【図２】本発明の一実施形態における携帯電話機が備える壁紙用画像の例を示す表示手段の正面図である。
【図３】本発明の一実施形態における携帯電話機が行う処理の流れを示すフローチャートである。
【図４】本発明の一実施形態における携帯電話機の表示例を示す表示手段の正面図である。
【図５】本発明の一実施形態における携帯電話機の表示例を示す表示手段の正面図である。
【図６】本発明の一実施形態における携帯電話機が備えるスタイルシートの例を示すテーブルの模式図である。
【図７】本発明の一実施形態における携帯電話機が備えるスタイルシートを適用した際の表示例を示す表示手段の正面図である。
【図８】本発明の一実施形態における携帯電話機が行う処理の流れを示すフローチャートである。
【図９】本発明の一実施形態における携帯電話機の表示例を示す表示手段の正面図である。
【符号の説明】
【００３７】
１…携帯電話機（表示装置）、  ２…制御部（制御手段）、  ３…ＲＯＭ（画像記憶手段、構成記憶手段）、  ４…ＲＡＭ、  ５…操作部、  ６…ＥＬ表示部（表示手段）、  ７…ＥＬ表示駆動回路（駆動手段）、  ８…表示用情報記憶部、  ９…画素劣化情報蓄積部（履歴記憶手段）、  １０…画像情報解析部、  １１…送受信部、  １２…アンテナ、  １３…スピーカ、  １４…マイク
【図１】
2007178481.tif 000003
【図２】
2007178481.tif 000004
【図３】
2007178481.tif 000005
【図４】
2007178481.tif 000006
【図５】
2007178481.tif 000007
【図６】
2007178481.tif 000008
【図７】
2007178481.tif 000009
【図８】
2007178481.tif 000010
【図９】
2007178481.tif 000011